(57)【特許請求の範囲】
【請求項１】
眼幅が調整できるように構成され、調整可能な左右の視点レンズ（４、４Ｅ、４Ｊ）装置と、および調整可能な左右の視点閉塞アパーチャ（６Ａ、６Ｅ、６Ｄ）とを含むステレオスコープビューア（５，５Ｄ）を備えたステレオグラフ的に見る装置であって、
調整可能な左右の視点レンズ（４、４Ｅ、４Ｊ）装置と、および調整可能な左右の視点閉塞アパーチャ（６Ａ、６Ｅ、６Ｄ）はそれぞれ左右が独立して調節できるように構成され、
そのレンズ装置とアパーチャは、ステレオグラフ内容が、ビューアの左目と右目の視点で焦点が合わされる平面内に存在する場合、左周辺単眼視域（２ＤＬ）と、左両眼ステレオ視域（２Ｌ）と、右両眼ステレオ視域（２Ｒ）と、および右周辺単眼視域（２ＤＲ）とを含む、４つの目視視域においてステレオグラフ内容を表示するフォーマットを有する大量のステレオグラフ内容（１Ｖ）を見るように構成され、
調製可能な左右のレンズ装置は、三次元内容（３Ｄ）の中心単眼ステレオ視域として、左右の両眼ステレオ視域（２Ｒ、２Ｌ）に存在する内容の、眼幅調整と、ステレオスコープ融像（１０Ｌ、１０Ｒ）と、知覚とができるようにそれぞれのレンズが左右に（１２、３８）移動し、スライドするように構成され、
調整可能な左右の閉塞アパーチャは、右両眼ステレオ視域と右周辺単眼視域を左目視点から見えなくでき、かつ左両眼ステレオ視域と左周辺単眼視域を右目視点から見えなくできるように構成され（１４）、また、
調整可能な左右の閉塞アパーチャは、前記視域の閉塞の正確な調整ができるようユーザーによってそれぞれが左右（１１、３９）に移動しスライドするように構成され、それは右両眼ステレオ視域の左境界エッジが左アパーチャによって見えなくなり、左両眼ステレオ視域の右境界エッジが右アパーチャによって見えなくなることで達成され、
調整可能な左右の閉塞アパーチャは、該アパーチャの閉塞縁部を穏やかに不鮮明に（緩やかにぼやけさせることが）でき、左右の周辺単眼視域の知覚と融像された中心単眼視域の境界縁部の知覚とを視覚的に融合できるように、それぞれがユーザーの目に近接する共通平面内に位置し、
前記ビューアにより移送される大量のステレオグラフ内容（１Ｖ）の知覚は、二次元内容の左右の周辺単眼視域（２ＤＲ、２ＤＬ）と継ぎ目無く融合され（１３、１４）、かつそれらの視域間に介在される融像ステレオスコープ三次元内容（３Ｄ）の中心両眼視域を含むことを特徴とするステレオグラフ的に見る装置。
【請求項２】
前記ビューアは、該ビューアがシャーシ（３Ｍ）と内容支持部（８、８Ｑ）から分離可能に装着する（８０）ように、前記内容支持部と、ビューアへ着脱自在に装着するシャーシとを有するハイブリッドステレオグラフ書籍（７０、１６）として構成され、
内容支持部は、仮想ステレオグラフ内容（７Ｘ）を有するページを複数有する着脱可能な内容パケット（７Ｙ）を支持するように構成され、
複数のページをピボット回転できるページ軸（７Ｗ）は、ステレオグラフ内容（７Ｘ）の上縁に平行かつ隣接/近接しており、
前記ビューアとシャーシ及び前記内容指示部は、ビューアがシャーシと内容支持部に取り付けられ（８０）、複数のページが内容支持部に取り付けられた際、ページを見る時に、ユーザーによってビューアがページの一直線上にピボット可能に離れて位置し、構成されていることを特徴とする請求項１記載のステレオグラフ的に見る装置。
【請求項３】
複数のピボット回転可能なページ（１Ｃ）のそれぞれは、第１の面（１Ｄ）とその向かい側に第２の面（１Ｅ）を有し、
複数のページ（１Ｃ）は着脱でき（２９、３２）、方向（位置）付け可能（３０，３１）であり、前記ページ（１Ｃ）のそれぞれの第１の面（１Ｄ）はビューアに配向し、各ページが軸（２Ｐ）に対しピボット回転する際に順に次なるページの第１の面（１Ｄ）は連続してビューアで見られるようにピボット可能に向けられ、
第１の面（１Ｄ）のステレオグラフ内容は、ステレオグラフ内容の上縁は、ページのピボット軸（２Ｐ）に近接かつ平行であるよう構成され、よってそれぞれの第１の面の画像が見られ、ページ軸に対してピボット回転する際、次なる第１の面の画像は順にピボット可能に向けられ、順にビューアで見ることができ、
複数のページ（１Ｃ）は着脱可能で（２９，３２）、ピボット可能に向けられた前記複数のページの第１の面のステレオグラフ内容を連続してみた後に内容支持部（８）から前記ページを取り外すことができ（２９）、
複数のページ（１Ｃ）は着脱可能で（２９、３２）、再配向でき（３０、３１）、ページに再び取り付け可能（３２）で、それぞれのページの第１の面（１Ｄ）の反対側にある第２の面（１Ｅ）はそれぞれビューアに配向し、
第２の面（１Ｅ）上のステレオグラフ内容は、ステレオグラフ内容の上縁は、ページのピボット軸（２Ｐ）に近接かつ平行であるよう構成され、よってそれぞれの第２の面の画像が見られ、ページ軸（３３）に対してピボット回転する際、次なる第２の面の画像は順にピボット可能に向けられ、順にビューアで見ることができることを特徴とする請求項２記載のステレオグラフ的に見る装置。
【発明の詳細な説明】
背景技術および発明の要約
本発明は既存の出版およびパッケージング様式と連係して広告および提示を行うための書籍、仮綴じ本および版の体裁と類似し、また関連する態様でステレオグラフ（立体画像）およびテキストの内容物をユーザーに表示しかつ提示することができる連接式装置に関するものである。
本発明を複数のピボット式に装着されたページと類似した態様で動作する透明スリーブを備えるように構成して、写真アルバムと類似した態様で背中合わせに装着されたステレオグラフ写真を表示できるようにすることができる。
本発明は電子ネットワークを介して送信され、かつ受信されて、受信先で印刷され、次に装置に装着されるような、解像度が高いステレオグラフディジタル・ハードコピーを表示することができる。
ユーザーが地理的および場所的な特徴を理解し易くなるように、本発明を立体海図および地図を表示するように構成することができる。
より具体的には、ここに記載する本発明は、（プラスチックまたはガラス製のレンズ部材を除く）厚紙、上質厚紙、繊維、リネンなどの材料を含む出版業界に現存する既存の材料および製造技術を利用して、またダイカット、折り畳み、貼着などのような製造方法、およびステープルおよびワイヤなどを含むその他の既存の綴じおよびページ製本方法で製造するのに極めて好適なステレオグラフ装置を提供することを目的としている。本発明は、伝統的な出版業界では一般的であり、当業者には公知である印刷可能な種々の接着剤、テープで、またタブおよびスロット止め技術によって互いに固定することができ、また取り外し可能に固定して収容構造にすることができる。しかし装置を種々の構造で表現するために他の手段を使用してもよいので、本発明は上記に指摘した好適な材料の実施態様、および前記表現技術に限定されるものではない。
ステレオグラフ／ステレオスコープ（立体画像／立体写真）装置の種類は多様多岐に亘り、この技術分野では公知である。一般に、ステレオスコープはステレオグラフを見るように構成された光学機器である。ステレオグラフ／ステレオスコープ技術の主要な目的は、人による三次元空間の自然な視覚体験に近い視覚媒体をユーザーに提供することにある。遠近感とは右目と左目がそれぞれ同時に、僅かに異なり、水平に変位した２つの立体視点から視差がある空間世界を知覚し、それを脳が互いに集束しかつ解釈して、三次元の視覚を与える時に自然に起こる現象である。ステレオグラフ画像は一般に平坦な平面の二次元媒体に作成される別個の２つの画像から構成されている。対応する左と右の立体斜視視界の像は、それぞれの視点が左右の目の平均的眼幅距離に相当する距離だけ互いに水平方向に変位するように互いに隣接して適宜に位置決めされる。適宜の光学特性と集束特性を有する２個のレンズを有する光学ビューアで見た場合に、一般にステレオグラフ、またはステレオ対と称せられる２つの像によってそれぞれの目が意図する対応画像を見ることができることで、脳内で知覚される三次元効果を作りだす。
本発明はテキスト情報を伴い、かつそれによって増強された複雑な三次元の視覚概念を通信することができる、好適な、アクセス可能なステレオグラフ書籍を提供するコンピュータ写像、ならびに高解像度のディジタル印刷の技術を合成したハイテク能力の利点を活用するように設計されている。本発明にはステレオグラフ画像と読取り可能なテキストの双方を収容し、かつ表示する能力があるので、教育および娯楽目的で広範に利用することができる。特に本発明はビジュアル小説および入門読本を含む児童書に有用であり、かつ化学、分子生物学、医学、建築学、美術彫刻、および複雑な三次元画像を見て理解することが有益なその他の技術分野での好適な家庭内での視覚化器具および学習の補助として有用である。
発明の開示
ステレオスコープビューア
本明細書に開示する種々の適用例を含むステレオスコープビューアの主要な目的は、ユーザーにステレオグラフの内容物を伝えることにある。さらに別の目的は、人間の自然の視覚をシミュレートし、かつ広範な視聴者、特に高価格の電子システムに不慣れな人々に対して印象深い（ｉｍｍｅｒｓｉｖｅ）全視界のステレオグラフの視覚体験をも含めて提供することにある。
上記の目的を達成するために必要な主要な能力の１つは眼幅間隔調整である。ビューアの本体内の固定された一体位置に閉塞アパーチャでレンズをユーザー個人の眼幅間隔に合わせて調整できるように構成することによって眼幅間隔調整を達成する、米国特許第５，４９９，１３６号に記載された本発明者の技術よりも、本発明のビューアは上記の能力を大幅に改良している。上記の能力はある程度までは有効であるが、左と右の画像をも調整可能に構成することによって、それぞれ右のステレオグラフの内容物を左目の視点から塞ぎ、かつ左のステレオグラフの内容物を右目の視点から塞ぐことができるようにアパーチャを構成することによって、印象深い画像視界の知覚が著しく向上することが判明している。
さらに、調整可能な閉塞アパーチャによってユーザーの微調整能力、ひいては中央の立体視界の境界が左右の周辺単眼視界によって限定される、自然の視覚をシミュレートする印象深い視界を見る能力が著しく向上する。アパーチャがユーザーの目に近接していることによって、アパーチャの遮蔽エッジが軽くぼやけて知覚される。閉塞のこのようなぼやけは、前記立体視野と単眼視野を継ぎ目なく混合して印象深い視界が生成されるので実際には極めて重要である。
付記すると本発明のビューアをステレオスコープの技術分野では一般的であるどの種類のレンズ光学系で構成してもよく、それには両凸レンズ、両凸レンズ・ウェッジ、平凸レンズ、平凸レンズ・ウェッジ、アナスチグマチック・両凸レンズ、アナスチグマチック・平凸レンズおよびステレオスコープビューアの光学的な利用を促進するその他の形状の光学レンズまたはそれらの構成が含まれるが、上記に限定されるものではない。
シャーシのピボット式構造
本明細書ではビューアのピボット式シャーシ（ＶＰＣ）と呼ばれるシャーシ部分のピボット式の構造によって、米国特許第５，４９９，１３６号、特に該特許の実施例１３Ｃ、１４Ｄおよび１５Ｅに記載されている従前のビューアのピボット式アレイ（ＶＰＡ）形状と比較して著しい改良が達成される。前記実施例は、ピボット式に露出した２つステレオグラフページを順次見ることができるように、装置が第１と第２の目視位置を取ることを達成できるようにするものである。本発明で開示されているＶＰＣの構造によって、第１と第２の目視位置を達成できるだけではなく、ピボット式に露出した２つのページの焦点を保持しつつ、第１と第２の目視位置の間での直線的な走査運動も可能である。それによって前記ページのステレオグラフの内容物を新規の実施態様で構成することができる。例えば両方のページに拡がる単一のステレオグラフを見ることができる。このような目視手順によって、両ページに拡がる画像と三次元空間画像とを行き来し、上下に横切って見ることができるので、双眼鏡で空間を調査した場合と類似した感覚が得られる。このような能力は前記の従前の実施例のＶＰＡ構造では達成不能である。本発明のＶＰＣの形状は機能に関して大幅に異なっており、かつより効率的なピボット運動を伴う前記の機能的な連接が達成される。前記の従前に開示されたＶＰＡの構造と本発明のＶＰＣ構造とのその他の相違点は下記の通りである。
特に、米国特許第５，４９９，１３６号の図２９、３０および３４、３５の実施例１３Ｃ、１４Ｄ、および１５Ｅにそれぞれ開示されている前記の従前のＶＰＡ構造は、第１の目視位置から第２の目視位置まで約１８０°回転させる必要がある中点のピボット軸を示している。中点のピボット頂部は第１の目視位置では逆の位置にあり、第２の目視位置にある位置を観察するために次に約１８０°変位するので、上記の構造は前記図面で容易に識別できる。この相反する角変位は、ページをめくって目視するごとに繰り返されて、反復的で高度のピボット式屈曲に耐える米国特許第５，４９９，１３６号で意図されているようなプラスチックおよび金属製の好適な材料の文脈では、適切であると見なすことができる。
しかしながら本明細書で意図している実施例は、出版業界では伝統的な材料、すなわち厚紙や繊維のような材料と製造技術とを指向している。米国特許第５，４９９，１３６号に開示されているような前記の従前のＶＰＡ構造は耐久性がなく、厚紙や繊維のピボット手段に損傷を与えるので、ここに開示している本発明のＶＰＣ構造は前記の材料選択に対するピボット式の解決方法を提示することを意図している。しかし、上述の材料選択の実施態様はその他の材料および技術で上記の本明細書で開示されたピボット構造を適用し、かつ実施することを排除するものではないことが理解されよう。すなわち本発明はプラスチックまたは金属またはその他の材料でも実施できる。
ここに開示する本発明のＶＰＣ構造はその他の実施態様では、前記の従前の実施例のように中心のピボット軸が１８０°回転する必要がない。本発明のＶＰＣ構造は中点のピボットを有しておらず、ＶＰＣのピボット頂部が逆位置から観察位置に変位しないようにピボット軸を変更してある。本発明のＶＰＣ構造のピボット頂部は全て目視の角度関係を保持している。さらに本発明のＶＰＣ構造にはピボット式に回転する必要が少なく、どのピボット軸も１８０°回転する必要はない。このように、ピボットによる摩耗は大幅に軽減され、前記の直線的走査機能が付加的な利点として本発明に加えられる。以下に開示する図面によって上記の目的および前記構造を対応して説明する。
【図面の簡単な説明】
添付図面を参照した好適な実施例の以下の説明を検討することによって、本発明およびその他の利点と特徴を完全に理解することができる。
図１はステレオグラフの内容物のパケット１と共に、ビューア、シャーシ、ページ装着／内容支持部とを示したステレオグラフ書籍１６の斜視図である。
図２は前記内容物パケットを所定位置にセットした第１の目視位置にある書籍１６の側面斜視図である。
図３は図２の位置に対してシャーシをピボット式に回転した連接を示す、第２の目視位置にある書籍１６の側面斜視図である。
図４は折り畳み式収容構造の書籍１６の端面図である。
図５はステレオスコープビューア５の種々の調整可能部材を示した分解斜視図である。
図６はビューア５の部材を容易に調整でき、かつステレオグラフの内容物の位置合わせ標的１０Ｌおよび１０Ｒと位置合わせすることができるように、装置を水平位置にセットした好適な位置を示した書籍１６の端面斜視図である。
図７はステレオグラフの内容物を知覚できる視界の概略図に対する、ステレオスコープビューア５の調整および位置合わせ機構を示した、ユーザーの視点からみたユーザーの指を含む概略図である。
図８は視界が融合する前の、ステレオグラフの内容物１Ｖを知覚できる視界の概略図である。
図９は図８に対応する、視界が融合した後の、ステレオグラフの内容物１Ｖを知覚できる視界の概略図である。
図１０は手２１Ｌおよび２１Ｒで装置を把持する方法を示した書籍１６の斜視図である。
図１１はページ調整工程でのユーザーの指を示した、前記内容物パケット１と、ページ装着／内容支持部８の部分斜視図である。
図１２はページ調整工程を示す、図１１に対応する部分斜視図である。
図１３〜図１７は内容物パケット１Ｃを使用できる態様を工程順に示した書籍１６の対応する斜視図である。
図１８は第１の目視位置にある書籍の変形１７の側部斜視図である。
図１９は図１８に対してシャーシをピボット式に回転した連接を示す、第２の目視位置の書籍１７の側部斜視図である。
図２０は折り畳み収容構造の書籍１７の端面図である。
図２１はシャーシのピボット構造を改良して、ページをほぼ共通の平面に支持するように構成された拡開された内容支持部を示した、第１の目視位置の書籍の変形１８の斜視図および、ステレオグラフ漫画本を作製するために使用できる複数の画面の概略図である。
図２２は図２１に対してシャーシをピボット式に回転した連接を示す、第２の目視位置での書籍１８の斜視図である。
図２３は折り畳み収容構造の書籍１８の端面図である。
図２４は本発明のピボット式シャーシを、平坦なシートまたは表面からなる内容支持部上に配置された一連のステレオグラフを走査、または横断して見るように構成できる態様を示した、ステレオグラフマガジン挿入仮綴じ本１９の斜視図である。
図２５は仮綴じ本１９の薄いプロファイルと、折り畳み構造のビューア５Ｃを示した端面図である。
図２６は内容支持部、ピボット式シャーシ、およびビューア５Ｃを、玩具や穀類のボックスのようなパッケージ、または趣向が許すかぎりのその他のパッケージに適応させる態様を示し、ステレオグラフパッケージの適応例２０の斜視図である。
図２７は調整可能な閉塞アパーチャ６Ｅとレンズ４Ｅとを設けて構成されたビューア５Ｄを分解した前面斜視図である。
図２８は図２７のビューア５Ｄに関連する、調整可能なレンズと閉塞アパーチャ部材の変形である部材４Ｍおよび６Ｄの斜視図である。
図２９は図２７のビューア５Ｄに関連する、レンズ４Ｎと閉塞アパーチャ６Ｌとを単一ユニットとして一体化した部材４Ｙの斜視図である。
図３０は眼幅間隔調整を達成するためにピボット式手段を使用したビューア５Ｍの前面図である。
図３１は図３０のビューア５Ｍと関連する部材６Ｍ、４Ｓおよび５Ｎのそれぞれの分解斜視図である。
図３２は図３０のビューア５Ｍと関連する、レンズ４Ｖと閉塞アパーチャ６Ｒとを単一ユニットとして一体化した部材４Ｚの前面図である。
図３３はレンズと閉塞アパーチャとをユーザーが同期的に調整できる、眼幅間隔調整機構５Ｑの前面の分解斜視図である。
図３４は組立てた状態の部品を示し、目の間が狭いユーザーに適応するように前記機構が調整された場合の部品の指向性の動きを示した機構５Ｑの前面斜視図である。
図３５は図３４と密接に対応する前面図であり、目の間が広いユーザーに適応するように前記機構が調整された場合の部品の指向性の動きを示した前面斜視図である。
図３６は簡単な歯車装置で同期的な眼幅間隔調整を達成するための手段である機構５Ｕの分解前面斜視図である。
図３７は前記調整中の部品の指向性の動きを示す機構５Ｕの前面図である。
図３８は、調整手段７Ｑがレンズとアパーチャとの間に挿入されていることを除いては、図３３〜図３５の機構５Ｑと同様にレンズとアパーチャとの同期的な調整運動を達成するために支点アームおよびピボット・アームを使用したビューア７Ｑの前面図である。
図３９は補強された繊維のピボット式シャーシと内容支持部とを有するハイブリッドステレオグラフ書籍を作製するために使用されるビューア７Ｑを示した書籍７０の斜視図である。
図４０は収容構造の図３９の装置の端面図である。
図面の詳細な説明
図面を参照すると、図１は、ステレオスコープビューア５を含むステレオグラフ書籍１６を示している。ビューアのピボット式シャーシ（ＶＰＣ）の平行ピボット軸３は、はっきりと見えるようにされ、その１つが２２として矢印によって示されるように、ステレオグラフ内容物パケット１のカバー７をスライドできるように収容するスリーブ８Ａで構成されているページ装着／内容支持部８にピボット結合されている。
図２は、第１の目視位置の書籍１６を示し、それによってビューア５は、内容物パケット１のカバー７とページ装着／内容支持部８のスリーブ８Ａとの係合によって確定され、決定される軸１Ｐ上にピボットされるページ表面１ＡおよびＶＰＣ３をピボットさせるユーザーによって矢印２１によって示されるように整列され、集束される。
図３は、第２の目視位置の書籍１６を示し、それによってＶＰＣ３のピボット連接はビューア５とページ表面１Ｂとを整列させるために変位されている。矢印２３は、示された内容物パケット１の複数ページのピボット回転がいずれかの方向に選択的に回転できることを示している。ページ表面１Ａおよび１Ｂのステレオグラフの内容物はビューア５に対して垂直位置に偏向されていることが分かる。
図４は、保護収容構造に適合される場合、ビューア５の位置、内容物パケット１、ページ装着／内容支持部８およびＶＰＣ３を示す書籍１６の端面図を提供する。
図５は、アパーチャ５Ａを含むビューア本体５Ｖの折り畳れ、傾斜された構造を示すビューア５の分解図である。既存の成形プラスティックあるいはガラスであってもよいレンズ部材４も示されている。この分解図は、正面のレンズ４が、矢印２４によって示されるようにビューア本体５Ｖの斜面５Ｂにもスライドできるように係合する、閉塞アパーチャ６Ａおよび対応する斜面６Ｂで構成されている閉塞アパーチャプレート６をスライドできるように係合するように斜面４Ｂで構成されているレンズ担体４Ｄの穴にはめ込まれたアパーチャ４Ａにしっかりと係合するかを示している。レンズ担体４Ｄおよびアパーチャプレート６のスライド可能な調整は、制御タブ４Ｃおよび６Ｃのそれぞれをユーザーが掴んで実施する。
レンズ４は、アパーチャ６に対して独立して調整できるようなその能力を変えないでレンズ担体４Ｄと一体にされ、合体にされることができる。しかしながら、これらの２つの特徴が合体され、レンズ４とアパーチャ６Ａとの間の独立の調整が失われるならば、レンズ４はアパーチャ６Ａと単一ユニットとして一体化されるように構成されてもよい。
図６は、水平位置にあり、好ましくは表面上にあり、それによってユーザーが両手を使用して、ユーザーの個別の光学的要件を満たすことができるように、ページ表面１Ａの概略ターゲット１０Ｌおよび１０Ｒに対してビューア５のレンズおよびアパーチャを調整し、整列させることができる書籍１６を示している。
図７は、ビューア５でユーザーによって認識されるステレオグラフの内容物を構成する知覚視界を示す概略図１Ｑを含む、ユーザーの観察点からの図である。対角線によって示されるような前記視界２Ｌおよび２Ｒは、ユーザーの脳で融合された場合、中央立体視界を構成する。水平線で示される視界２ＤＬおよび２ＤＲは、ユーザーによって融合後、それぞれ左右の知覚単視界を構成する。左２Ｌ視界および右２Ｒ視界が接する中心線１３は、目に見えないように閉塞される。これは、前記アパーチャによってユーザーの各目がそのために意図された適切な視界だけを見ることができるように、矢印１１によって示されるようにアパーチャ制御タブ６Ｃおよびそれとともに閉塞アパーチャ６Ａをスライドするために点線１４によって示されるようにユーザーが人差し指９Ｌおよび９Ｒを移動させて達成される。ビューア５のレンズを調整する工程は類似している、それによってユーザーは、親指１５Ｌおよび１５Ｌを移動させ、概略立体視界２Ｌおよび２Ｒで示されたターゲットが効果的に融合して１つのターゲットになるまで、レンズ担体制御タブ４Ｃおよびそれに対するレンズ４を矢印１２によって示されるようにスライドする。したがって、ステレオグラフの内容物と眼幅の間のアライメントが達成される。この処理はさらに図８および図９に示されている。
図８は、ユーザーによる融合の事象以前にステレオグラフの内容物１Ｖを構成する知覚視界を示す概略図である。左右立体視界２Ｌおよび２Ｒは、それぞれ図示されるように対角線によって概略的に示されている。アライメントターゲット１０Ｌおよび１０Ｒは、図示されるように異なる直径の内円で示されている。周辺単視界２ＤＬおよび２ＤＲは図示されるように水平線によって示される。中央線１３は立体視界２Ｌと２Ｒの間に示される。
隣接する立体視界２Ｌおよび２Ｒの主要目的は可能な最大立体視界の知覚を達成することにある。広い中央境界が２Ｌと２Ｒとの間に挿入される場合、前記境界は、ステレオグラフの内容物によって使用できる空間を占有し、認識される立体視界を減少させ、狭くするので、仮想視界を達成する目的は減少される。しかしながら非仮想ステレオグラフの内容物は本発明でも表すことができ、例えば認識視界は、漫画本と同様に一連の３Ｄ画像を表すことができると理解すべきである。
図９は、ユーザーによる融合の事象後ステレオグラフの内容物１Ｖを示す、図７および図８に対する対応概略図である。中央立体視界３Ｄは、対角点線によって挟まれたように示される。中央立体視界３Ｄは、矢印５０によって示されるように融合した立体視界２Ｌおよび２Ｒ（図８を参照）で構成されている。アライメントターゲット１０Ｌおよび１０Ｒは融合しており、異なる直径の内円が示されている（図８を参照）。周辺単視界２ＤＬおよび２ＤＲが示されている。中心線１３は２つの点線によって示され、中心線１３が効果的に閉塞された場合、中心線１３は目に見えない。適切に閉塞されない場合、中心線１３は示される領域を占有する、すなわち中心線１３は適切に融合しない、重ね合わされたステレオグラフ画像を含む２つの固いエッジのバンドとして単視界２ＤＬと２ＤＲとの間の立体視界３Ｄの各側にこの画像を表示する。
適切に閉塞された場合、中心線１３は、アパーチャ６Ａによって遮られるので（図７を参照）、単視界２ＤＬおよび２ＤＲは立体視界３Ｄで合体される。この知覚合体はアパーチャ６Ａをユーザーの目に非常に接近することによって著しく改良されて、立体視界３Ｄおよび単視界２ＤＬおよび２ＤＲを共に継ぎ目なしに混合するのに役立つ軟らかいぼけとして各アパーチャ６Ａの閉塞エッジを示す。
アパーチャ６Ａがユーザーの正確な可視要求に調整可能である場合、前記視界合体効果は自然な可視知覚とは事実上区別できない。
図１０は、ビューア５がユーザーによって調整された後、本発明を保有する好ましい方法を斜視図で示している。書籍１６およびビューアのピボット式シャーシ３は、ページ１Ａを調べた後、ページ１Ｂと整列された第２の目視位置に示されている。ビューア５は手２１Ｌで保持され、指９Ｌおよび親指１５Ｌが示されている。手２１Ｒは、ページ装着／内容支持部８を保持し、指９Ｒおよび親指１５Ｒで、目視位置で内容物パケット１の複数のページを固定する。指９Ｒは、ページ面１Ａおよび１Ｂを所定の位置、すなわち互いから離れて広がった、ユーザーによって直観的に操作できるかなり一般的な焦点面にいかに保持できるかに注目する。手２１Ｌは前記内容物パケット１を保持でき、手２１Ｒはビューア５を保持できることが分かる。
図１１は、図１０に関連し、直接図１２に対応し、内容物パケット１および手２１Ｒによって保持されるページ装着／内容支持部８の斜視断面図であり、その結果親指１５Ｌおよび指９Ｒがページ１Ｓをめくり、それによってページ１Ｓの捩じれを形成する親指１５Ｒの動きを矢印２５が示す。人差し指９Ｒは、前記捩じれの下の矢印２６によって図示されるのと同じように挿入されるように示されている。
図１２は、図１１と対応してページをめくる手順を続け、それによって親指１５Ｒは矢印２７によって示されるように元の状態に戻し、そしてページ１Ｓを取り外し、人差し指９Ｒは矢印２８に示される方向へページ１Ｓを素早くめくり、ピボット軸１Ｐのページ１Ｓをピボット回転して第１の目視位置にする。ページ２Ｓは第２の目視位置に示されている。
図１３〜図１７は、書籍１６の対応する斜視図に対して従来の公知のバインディング２Ｙでワイヤ結合された複数のページである内容物パケット１Ｃを利用するための工程順を示している。ページ１Ｄおよび１Ｅは、ステレオグラフの内容物の構造を図示する概略シンボルに対して示され、それによって１Ｄの矢印は、ページピボット軸２Ｐの方へ上向きに向き、ＩＥの横線の書き込まれた矢印は前記軸２Ｐの方へも向けられている。図１３は、正しく配向されている１Ｄを見るために整列しているビューア５を示している。複数のページはピボットの働きをするように露出でき、それに対するステレオグラフの内容物は１Ｄによって示されるのと同じように配向され、ビューア５によってユーザーは前記ページを順次見ることができることが分かる。
図１４は、それの１つが２９として示されている２つの矢印によって示されるようにページ装着／内容支持部８のスリーブ８Ａからスライドできるように取り外しされる内容物パケットＩＣのカバー７を示している。
図１５は、矢印３０および３１によって示されるように再配向される内容物パケット１Ｃを示しているので、ページ１Ｅは書籍１６に対して直立配向に近い。
図１６は、矢印３２によって示されるように書籍１６のページ装着／内容支持部８のスリーブ８Ａとスライド可能な係合に近い１Ｃを示している。
図１７は、内容物パケット１Ｃを所定場所に示すことにより１Ｅで図示されるようなステレオグラフの内容物が矢印３３によって示されるようにページ軸２Ｐ上で回動でき、ビューア５に対して直立配向で見ることができる。ページ表面１Ｄ上に図示された内容物は１Ｅとして図示されたページ表面の反対側に配列されることが分かる。
図１８は、第１の目視位置の書籍の変形１７の側面斜視図であり、伝統的なワイヤ結合版３Ｒに対するページ１Ｆ、ピボット回転可能なページ支持面／カバー７Ｂおよびページ装着／内容支持部８Ｂの改造物を示す。ページ１Ｆはこの改造物に対して取り外しできないことが分かる。ビューア５は前の図から変えられていない。ＶＰＣ３Ａのピボット形状はここで事実上前のＶＰＣ３形状と同一である。
図１９は、第２の目視位置の書籍の変形１７を示している。ワイヤバインダー３Ｒはページピボット軸３Ｐを確立する。
図２０は、収容構造の各種構成要件の位置を示す書籍１７の端面図である。ワイヤバインダー３５は明白で、カバー７Ｂはビューア５に近接して示されている。
図２１は、第１の目視位置の書籍の変形１８の斜視図であり、それによってビューア５は、ユーザーが内容物パケット１Ｉのページ面１Ｊを見ることができるように整列される。この内容物パケット１Ｉは、ページピボット軸４Ｐを決定するために技術上一般に知られている接着剤あるいはタブおよびスロット技術のような各種の手段でカバー／内容支持部７Ｃに貼着することができる装着ストリップ８Ｃに従来のステープル手段で結合された複数のページである。ビューアのピボット式シャーシ軸３Ｂは、前記ＶＰＣの相対するピボット形状であるようにはっきりと示され、それによって前記ＶＰＣ３Ｂの全ての角度頂部は外部に向いた構造によって外側に向いている。ビューア５は前の図に対して不変である。
ページ１Ｊおよび１Ｋは、長くて、頑丈なカバー／内容支持部７Ｃによって通常共通平面に支持され、いかに前記ページがステレオグラフ漫画本を表すことができるかに対する示唆として複数の立体パネルの図とともに示されている。ここに前述されるように（図８の説明を参照）、このようなステレオグラフの内容物の位置決めは非仮想であるが、見るのがやはり楽しい可能性がある。
図２２は、図２１に対応し、第２の目視位置の書籍１８を示している。ビューア５は、矢印３４によって示されているように、焦点整合を保っていて、垂直に走査し、ページ表面１Ｌおよび１Ｍのそれぞれを横切る。ページ１Ｌおよび１Ｍは、単一垂直画像が前記ページ面に対して位置決めされてもよいことを示すように図示されているので、ビューア５は、ユーザーが２ページの見開きを目をきょろきょろ移動するために利用してもよい。これは、ステレオグラフ地形学の表面地図を見るのにあるいは水着のかわいい女の子の局所解剖学を調べるのに適当である。
図２３は、折り畳んだ収容形状の書籍１８の端面図である。カバー７Ｃの延長部分は、ＶＰＣ３Ｂのピボット軸の配置のように目に見える。ビューア５は同じである。
図２４は、いかに本発明の手段がこのような目的に合致できるかを示す、ステレオグラフ出版物の挿入仮綴じ本の斜視図である。
それによって、出版物９Ｍ（ここでは雑誌として示されている、しかしながら、仮綴じ本９は他の出版物形態に挿入されてもよい）は、任意の数の公知の従来の手段で平面シート／内容支持部７Ｅを、９Ｓに装着され、その例がミシン目を入れられた線７Ｆとしてここに示されている一般に知られている手段によって出版物９Ｍからも取り外されてもよい。平面シート７Ｅと平行な平坦形状にビューア５ＣおよびＶＰＣ３Ｃを着脱自在に装着するための提案された対応する形状も示され、それによって合致された場合、当該技術分野に公知の固定方法で、タブ８Ｄはスロット８Ｅに係合し、タブ８Ｆはスロット８Ｇに係合し、タブ９Ａはスロット９Ｂに係合し、かつタブ９Ｃは９Ｄに係合する。これらの提案され、示された固定手段、固定方法、および典型的な係合の位置は、無数の方法の中の単なる少数であり、本発明は前記平坦形状の目的を達成するために着脱自在に固定することができる。
ビューア５Ｃは、外形でより薄く、図２１〜２３に示されている書籍１８のＶＰＣ３Ｂピボット形状の機能と非常に類似しているＶＰＣ３Ｅにピボット回転可能なように結合され、それによってビューア５Ｃは、焦点整合を維持している間、矢印３５によって示される方向にユーザーが適切に操作すれば１Ｎで示されるような一連のステレオグラフを容易に走査し、横切ることができることを除いてビューア５と機能的に同じである。
仮綴じ本／差し込みページとしての役目を果たす以外のこの特定の図２４の形状に対する付加的目的が予想できると理解すべきである。例えば、平坦シート／内容支持部７Ｅは、ステレオグラフの内容物の平坦シートが見るために整列し、着脱自在に固定できる一般的に知られているクリップボードと同様な平坦装着面としての役目も果たすように構成されてもよい。
平坦シート／内容支持部７Ｅも、図２１〜図２３に示されるのと同様に複数のピボット回転可能なページで容易に構成されてもよい。
図２５は、形状の薄い仮綴じ本１９の外形およびシート７Ｅでの折り畳んだ構成のビューア５Ｃを示す仮綴じ本１９の端面図である。
図２６は、いかに本発明の手段が三次元ビューイングを有するパッケージングを引き立たせるというような目的に適合できるかを示すステレオグラフパッケージング改造物２０の斜視図である。
それによってステレオグラフの内容物１Ｒは、パッケージ７Ｇと一体であるか、あるいはパッケージ７Ｇに貼着されるかのいずれかであり、ＶＰＣ３Ｅは、ここに示された例では、接着されたフラップによってパッケージ７Ｇに装着されている。提案された実施例は、タブ９Ｅがスロット９Ｆに係合し、かつタブ９Ｇはスロット９Ｈに係合する１Ｒによって規定される平面に平行である平坦形状に着脱自在に固定している５ＣおよびＶＰＣ３Ｅを示している。ＶＰＣ３Ｅおよびビューア５Ｃは先に示された図２１〜図２５と同様な機能を果たすことが分かる。
図２７は、調整可能な閉塞アパーチャ装置６Ｄおよび調整可能なレンズ装置４Ｉで構成され、ここで予想される全ての実施例に適応でき、ビューア５Ｄはより耐久性があるので、万一プラスティックあるいは金属で提供されても、さらに本発明に役立ち、適用可能である立体ビューア５Ｄの分解断面の正面斜視図である。さらに、ビューア５Ｄは、実施例１６、１７、１８のリネン／ハードカバー描写に適用可能であり、それによってビューア５Ｄの全構造は、ブリッジ部５１のスナップスタッド５Ｊとしっかりと係合する直径を有する穴５Ｈを持つ厚紙シャーシプレート５Ｌにスナップすることができ、前記スタッド５１は、その２つが示されているビューア本体穴５Ｇとも係合する。レンズ４Ｅは、矢印３７によって示されるようにスナップリム４Ｆの中に係合する。アパーチャ装置６Ｄおよびレンズ装置４Ｉは、ビューアのアイピースの窪み５Ｋの平行面に共にぴったりと重合されるので、レンズ４Ｅ、アパーチャ６Ｅはビューアアパーチャ６Ｅと調整可能に整列される。レンズ装置４Ｉおよびアパーチャ装置６Ｄの傾斜にした表面４Ｇおよび６Ｆのそれぞれは、５Ｆで示される溝にスライドできるようにぴったり合う。レンズ装置４Ｉの調整ハンドル４Ｈはスライドできるように表面６Ｇに接触する。所定の位置にはスナップされた場合、レンズ装置４Ｉおよびアパーチャ装置６Ｄは、別々に矢印３８および３９のそれぞれによって示される方向にスライドする。
開示された全実施例の前記アパーチャおよびレンズは、本発明の前述の目的を達成する他の手段で構成されてもよく、例えばアパーチャは、レンズの反対側に配置できるので、アパーチャは前記レンズよりもユーザーの目により近くなる。
図２８は、図２７のビューア５Ｄに対応し、それによってレンズ４Ｊおよび装置４Ｍの構造は一体であり、一体的に合体される２つのレンズ装置４Ｍおよびアパーチャ装置６Ｄの中の１つの分解斜視図である。
前記装置は、図２７の示される装置４１および６Ｄと同様にビューア５Ｄに取付られ、機能を果たす。
図２９は、レンズ装置４１およびアパーチャ装置６Ｄの機能を果たすように図２７のビューア５Ｄにぴったり合う１つの調整可能な部品を形成するようにレンズ４Ｎを閉塞アパーチャ６Ｌと統合する２つのレンズ／アパーチャ部材４Ｙの中の１つの斜視図である。この形状は前記レンズとアパーチャとの間の別々の調整ができないこと分かる。
図３０は、本発明に適用でき、レンズ４Ｒおよび閉塞アパーチャ６Ｎの調整を実施するピボット手段を使用し、それによってビューア５Ｍの全構造は、それの１つが５Ｘとして示される装着穴を有するビューア本体５Ｙにも係合および固定するスナップスタッド５Ｎを固定する直径を有するものであり、その１つが５Ｚとして示される装着穴を有する装着プレート５Ｔに係合する立体ビューア５Ｍの正面断面図である。スナップスタッド５Ｎも、レンズ装置４Ｓおよびアパーチャ装置６Ｍをピボット結合するように一緒に結合するので、矢印４３および４６によって示される方向に装着穴５Ｚ、５Ｘおよびスタッド５Ｎによって決定される軸の周りで回転してもよい。レンズ４Ｒおよびアパーチャ６Ｎのピボット調整は、スイッチ４Ｔおよび６Ｐのそれぞれを軽く押すためにユーザーが人差し指を使用して実施される。
図３１は、図３０のビューア５Ｍに関連し、それによって１つのスナップスタッド５Ｎが左アパーチャ装置６Ｍおよびレンズ装置４Ｓのそれぞれのピボットカラー６Ｑおよび４Ｘのように示されている分解斜視図である。ピボット軸５Ｐは前記構成要件に共通するものとして示されている。
図３２は、図３０のビューア５Ｍで利用することができ、それによってレンズ４Ｖは、閉塞アパーチャ６Ｒおよびピボットカラー５Ｓと一体に合体され、成形される左の一体レンズ／アパーチャ装置４Ｚの正面図である。
図３３は、アイピースの同期調整ができる眼幅間隔調整機構５Ｑの正面分解図である。機構５Ｑはレンズと閉塞アパーチャとの間の独立した調整ができないが、５Ｑによりステレオグラフ書籍に馴れていないユーザーが迅速に眼幅間隔調整ができる。図示された機構は、明確にするためにここでは省略されている前述されたような厚紙ビューア本体（図５の５Ｖを参照）内部に装着するように構成される。図示された構成要件は、以前からある射出成形プラスティックあるいはガラスであってもよいレンズ４Ｑを除いて、薄い真空形成ダイカットプラスティックで製造されている。５Ｑの構成要件は、基本的には当業者が精通している方法で提供される薄いプラスティック膜である。５Ｑの構成要件は、射出成形プラスティック、リベットピボットを有する厚紙あるいは打ち抜かれたダイカットアルミニウムで作られている。図示されるような機構５Ｑは、製造するのに非常に費用効率が高く、かなり耐久性がある。
図３３は、レンズ４Ｌがレンズ担体部材４Ｗおよび４Ｙのそれぞれに置かれた一体閉塞アパーチャ６Ｋを形成するようにダイカットされるレンズソケット４Ｋにいかにスナップするかを示している。レンズ４Ｌは射出成形により前記担体と一体に合体し、形成することができることが分かる。担体部材４Ｗは、ユーザーが左の親指と人差し指との間で機構５Ｑを掴む典型的な位置を示す親指スイッチ４Ｕを含んでいる。キャリッジ部材４Ｗは、その窪んだ下側がネスティングカップと同様に担体装置４Ｙの位置決め溝６Ｙの凸状の上側の上にスライドできるようにスナップ位置決め溝６Ｘを含んでいる。このように溝６Ｙは、そのときベースプレート５Ｗ上に形成される位置決めピン６Ｚ上にもスライドできるようにスナップされる。この同じネスティング／装着技術は、ピボットアーム６１上に置かれたピボットアームピン６Ｔおよび６Ｖのそれぞれの担体装置４Ｗおよび４Ｙのピボットソケット６Ｓおよび６Ｕの組立体でも明らかである。このピボットアーム６１は、ダイカットアイピースアパーチャ５Ｒも含んでいるベースプレート５Ｗ上に形成されるファルクラムピン６Ｗにファルクラムピボットソケット６Ｈによっても同様に合致する。ベースプレート５Ｗは、図５の５Ｖのようなビューア本体内の任意の数の典型的な固定技術で整列され、固定される。しかしながら、ファルクラムを確定するかあるいは５Ｗのようなベースプレートを必要としなくてもよい機構５Ｑの簡単なピボット形状を固定する多数の他の手段がある。ベースプレート５Ｗは図を用いて明確にする目的のために示される。
図３４は、組み立てられた機構５Ｑを示し、アイピースを狭いアイセッティングに調整する構成要件の方向運動を示し、それによって親指スイッチ４Ｖは、矢印５１によって示される方向にスライドし、矢印５２と同じ方向に担体装置４Ｗをスライドし、したがってピボットソケット６Ｓをスライドする。ピボットアームピン６Ｔに係合するピボットピン６Ｓによって、ピボットアーム６Ｉはファルクラムピボットソケット６Ｈおよびファルクラムピン６Ｗを矢印５３によって示されるように時計回り運動でピボット回転する。したがってピボットソケット６Ｕに係合する移動ピボットアームピン６Ｖによって、担体４Ｙは、矢印５４によって示されるような方向にスライドする。重合した位置決め溝６Ｘおよび６Ｙおよび位置決めアライメントピン６Ｚが示され、これらは、担体４Ｗおよび４Ｙをスライドできるアライメントに保持するのに役立ち、担体移動の距離を、停止するかあるいは適切な眼幅間隔調整範囲に制限する手段の役をすることもできる。この機能は他の代替手段によって実施できることおよび本発明はこの特定の図示された構造に限定されない。
図３５は、図３４と同一の観察点からの機構５Ｑの斜視図であるので、２つの図は迅速に比較され得る。図３５は、５Ｑの構成要件が広いアイセッティングのために調整される場合の５Ｑの構成要件の方向運動を示している。矢印５５〜５８は、基本的には、図３４と同じの前記構成要件の反対方向の移動を示している。ピボットアーム６Ｉの角度は、図３４のその位置に対して異なる位置で止まることが分かる。この角度差は図３５のライン５９と図３４のライン６０とを比較することによって分かる。
図３６は、同期眼幅間隔調整を実施するさらにもう１つの簡単な手段を示し、それによってレンズおよび閉塞アパーチャは、対向するリニアギヤとかみ合っているピニオンギヤを利用することによって同時に互いに接離する方向に移動される。分解斜視図の図３６は機構５Ｕを示し、それによって各々がレンズ３Ｌ、一体閉塞アパーチャ３Ｎで構成されている透明な射出成形アイピース構成部材３Ｕおよび３Ｋ、および親指スイッチ３Ｓは、ピニオンギヤ３Ｇのギヤスリーブ３Ｖを収容するアイピースアパーチャ３Ｘおよびギヤピボットピン３Ｈで構成される、ビューア本体３Ｙのアイピース窪み３Ｗにスライドできるように取付けられるので、ピニオンギヤ３Ｇは、どちらかの方向に自由に回転し、アイピース３Ｊおよび３Ｋのそれぞれの対向するリニアギヤ３Ｚおよび３Ｔとかみ合う。これらの示された構成要件は、任意の数の典型的な方法、例えばビューア本体３Ｙの上に重合されるので、アイピース窪み３Ｗに前記可動構成部材に保持するキャッピングシェルによって所定の位置にピボット回転するように、およびスライドできるように固定される。さらに図２７に示されるように、ビューア本体３Ｙは、任意の数の技術でビューアのピボット式シャーシに固定（あるいは前記ビューアのピボット式シャーシと一体に形成）できる。図３６は主に表示機構５Ｕに関するものである。
図３７は、図３６に対応し、組み立てられた構成要件および目の間が広いユーザーに適合するように調整されるような前記構成要件の方向運動を示している機構５の前面図である。図３７に示された基本的な機械的方向および運動は狭いアイセッティングに対する眼幅間隔調整を実施するように示されるのと反対方向にも生じ得ることが分かる。
ユーザーがアイピースの親指スイッチ３Ｓを掴み、矢印６１および６５によって示されるように外側にスライドする場合、広い眼幅間隔調整が実施される。ユーザーが左右親指スイッチのいずれかを掴んでもよいことが分かる。この実施例に関してユーザーは、左スイッチ３５を矢印６１に示される方向にスライドし、この左スイッチ３５によってリニアギヤ３Ｚは、矢印６２によって示されるようにスライドもし、矢印６３によって示されるようにギヤピボットピン３Ｈの周りで時計回り運動でピニオンギヤ３Ｇをもピボット回転するので、矢印６４によって示される方向に対向するリニアギヤ３Ｔのかみ合わされた歯を駆動し、それによってアイピース３Ｋを矢印６５によって示されるようにアイピース３Ｊから離れて同期した様式でスライドする。
図３８は、ビューア７Ｑおよびいかにファルクラム７Ｐおよびピボットアーム７Ｒがレンズ７Ｌと閉塞アパーチャ７１との間に配置することができるかを示し、ピボットカップリング７Ｎおよび７Ｍは、レンズ担体７Ｈおよび７Ｕのそれぞれで構成される対応する手段に係合する。これらのピボットカップリングは、機械的技術に共通な多数の技術、重ね合わされたプラスティックピンおよびソケット、リベットなどで作ることができる。レンズ担体７Ｈおよび７Ｕは、レンズ７Ｌおよびアパーチャ７Ｉと一体であってもよく、調整スイッチ７Ｓを含んでもよい。レンズ担体は、スライドできるようにピン７Ｋに係合し、断面で示されているリビングヒンジ７Ｉおよび挿入プレート７Ｖも一体に含んでいるベースプレート７Ｔと一体である位置決めアパーチャ７Ｊによってその移動でスライドできるように配置され、制限される。ヒンジ３Ｉおよびプレート７Ｖは、ビューアを本発明の他の構成要件に係合させる対応する手段を提供する多数の可能な方法の中の１つとして示されているので、本発明に係るこの装置のピボット機能が実施される。しかしながら、本発明はこれらの例示された手段に限定されるべきでない。レンズ間のファルクラムおよびピボットアームを配置するという利点はまったく確かなものである。これによって調整スイッチ７Ｓは、ビューアの各側面上に置くことができるので、見ている間どちらかの手で調整できる。
図３９は、書籍７０を示し、またこの装置がそのピボット機能および支持機能を保持することができるように内部に縫い込まれている固いプレートを有する織物で構成されているビューアのピボット式シャーシ８Ｍのスリーブ８Ｒに矢印８０によって示されるように係合するように７Ｑが挿入プレート７Ｖで構成されてもよい態様を示している。一旦インサートプレート７Ｖが所定の位置にスライドされると、ビューアのピボット式シャーシ形状は前述したような機能にされ、３Ｉと示されている軸は前述の図と同様にピボット回転すると分かる。
２つのピボット軸３Ｍを含むピボットページ支持体８Ｎは、カバーフラップとしの役目も果たし、当該技術分野で一般に知られている、縫い込まれたベルクロ（ｖｅｌｃｒｏ）パッチあるいは他の手段を有する８Ｍに着脱自在に固定でき、それによってパッチ８１はパッチ８Ｊに係合し、パッチ８Ｋはパッチ８Ｌに係合する。
内容物パケット７Ｙは、内容支持部８Ｑ上のスリーブ８Ｓにスライドされているパケットシート７Ｚによって図１に示されるように置かれた所定の位置に示され、したがってページピボット軸７Ｗを決定する。
ステレオグラフの内容物７Ｘは、それによって前述の図に示されるように見ることができるように位置決めされている。
図４０は、本発明の構成要件を示す、折り畳んだ収容モードの本発明の端面図である。
本発明はいろいろな修正例および他の構造を受け入れることができるが、図面に示された実施例はここに十分詳細に述べられている。しかしながら、本発明を開示されている特定の形式に限定することを意図しているのではなく、一般的な空間的アライメントおよび固有の形状を示し、したがって本発明の機能的パラメータおよび目的パラメータを規定することを意図している。
【図１】
0003989023.tif 000002
【図２】
0003989023.tif 000003
【図３】
0003989023.tif 000004
【図４】
0003989023.tif 000005
【図５】
0003989023.tif 000006
【図６】
0003989023.tif 000007
【図７】
0003989023.tif 000008
【図８】
0003989023.tif 000009
【図９】
0003989023.tif 000010
【図１０】
0003989023.tif 000011
【図１１】
0003989023.tif 000012
【図１２】
0003989023.tif 000013
【図１３】
0003989023.tif 000014
【図１４】
0003989023.tif 000015
【図１５】
0003989023.tif 000016
【図１６】
0003989023.tif 000017
【図１７】
0003989023.tif 000018
【図１８】
0003989023.tif 000019
【図１９】
0003989023.tif 000020
【図２０】
0003989023.tif 000021
【図２１】
0003989023.tif 000022
【図２２】
0003989023.tif 000023
【図２３】
0003989023.tif 000024
【図２４】
0003989023.tif 000025
【図２５】
0003989023.tif 000026
【図２６】
0003989023.tif 000027
【図２７】
0003989023.tif 000028
【図２８】
0003989023.tif 000029
【図２９】
0003989023.tif 000030
【図３０】
0003989023.tif 000031
【図３１】
0003989023.tif 000032
【図３２】
0003989023.tif 000033
【図３３】
0003989023.tif 000034
【図３４】
0003989023.tif 000035
【図３５】
0003989023.tif 000036
【図３６】
0003989023.tif 000037
【図３７】
0003989023.tif 000038
【図３８】
0003989023.tif 000039
【図３９】
0003989023.tif 000040
【図４０】
0003989023.tif 000041